(57)【要約】      （修正有）【課題】液浸材、たとえば、ウェットティシュ、水性または油性の化粧料が浸漬した部材、消毒用等の薬液が浸漬した部材を繰り返し開閉可能な密封性の高い液浸材包装容器を提供する。【解決手段】液浸材包装容器の容器本体１２は、液浸材包装容器の長手方向に平行に、収容された前記液浸材を取り出すことができるほぼ台形状開口部１２１が設けられ、その底部を底部材１３によって塞がれている。蓋部材１４は、容器本体のほぼ台形状開口部を開閉自在に塞ぐ接着剤１４１が塗布されており、前記長手方向に対して直角方向で、ほぼ台形の頂部から底部に向かって開き、底部から頂部に向かって閉じるようにし、蓋部材に付着した水滴は、蓋部材から落下しても、開口部がほぼ台形で、頂部から底部に向かって徐々に広くなるため、ほぼ台形状開口部の縁に落下することなく、度重なる開閉によっても、蓋部材に付けられた接着剤の効果を保持することができる。【選択図】図１
2008074489.tif 000002
【特許請求の範囲】
【請求項１】
液浸材を非通気性の状態で収容し、上部の開口部から適宜取り出すことができるほぼ矩形状の液浸材包装容器において、
前記液浸材を収容する容器本体と、
前記容器本体内に収容されている前記液浸材を取り出す前記容器本体の上面に設けられたほぼ台形状開口部と、
前記容器本体の底部を塞ぐ底部材と、
前記容器本体のほぼ台形状開口部を開閉自在に塞ぐために、接着剤が塗布されており、前記ほぼ台形の頂部から底部に向かって開き、前記ほぼ台形状開口部の底部から頂部に向かって閉じるように取り付けられたストッパー付き蓋部材と、
から少なくとも構成されていることを特徴とする液浸材包装容器。
【請求項２】
前記ストッパー付き蓋部材は、容器本体の長手方向に対して直角方向に開閉するように取り付けられていることを特徴とする請求項１に記載された液浸材包装容器。
【請求項３】
前記ストッパー付き蓋部材は、容器本体の長手方向に開閉するように取り付けられていることを特徴とする請求項１に記載された液浸材包装容器。
【請求項４】
前記ほぼ台形状開口部の周辺には、両端部が前記蓋部材のストッパー近傍まで延びる溝が設けられていることを特徴とする請求項１から請求項３のいずれか１項に記載された液浸材包装容器。
【請求項５】
前記ほぼ台形状開口部の周辺には、前記周辺を囲む溝と、前記溝からほぼ台形状開口部に繋がる放射状の複数個の放射溝とが成形されていることを特徴とする請求項１から請求項３のいずれか１項に記載された液浸材包装容器。
【請求項６】
前記ストッパー付き蓋部材は、一部が容器本体から突出している開閉用摘まみ部を備えていることを特徴とする請求項１から請求項５のいずれか１項に記載された液浸材包装容器。
【請求項７】
液浸材を非通気性の状態で収容し、上部の開口部から適宜取り出すことができる矩形状の液浸材包装容器において、
前記液浸材を収容する容器本体と、
前記容器本体内に収容されている前記液浸材を取り出す前記容器本体の上面に設けられた小判型または長方形からなる開口部と、
前記容器本体の底部を塞ぐ底部材と、
前記容器本体の小判型または長方形からなる開口部を開閉自在に塞ぐために、接着剤が塗布されており、前記開口部の一方から他方に向かって開き、他方から一方に向かって閉じるように取り付けられたストッパー付き蓋部材と、
前記開口部の周辺に沿って設けられ、両端部が前記蓋部材のストッパー近傍まで延びる溝と、
から少なくとも構成されていることを特徴とする液浸材包装容器。
【請求項８】
前記ストッパー付き蓋部材は、容器本体の長手方向に対して直角方向に開閉するように取り付けられていることを特徴とする請求項７に記載された液浸材包装容器。
【請求項９】
前記ストッパー付き蓋部材は、容器本体の長手方向に対して開閉するように取り付けられていることを特徴とする請求項７に記載された液浸材包装容器。
【発明の詳細な説明】
【技術分野】
【０００１】
本発明は、液浸材、たとえば、ウェットティシュ、水性または油性の化粧料が浸漬した部材、あるいは、消毒用等の薬液が浸漬した部材を積層状態に収納し、繰り返し開閉可能な密封性の高い包装容器からウエットシート等を一枚ずつ取り出して使用する液浸材包装容器に関するものである。本明細書において、「液浸材」は、前記ウェットティシュ、水性または油性の化粧料が浸漬した部材、消毒用等の薬液が浸漬した部材、洗剤、毛染め用着色剤、マニュキア落とし用溶剤等を意味する。また、本発明の「液浸材」は、前記溶剤あるいは薬液等が浸漬した紙、綿、織布、不織布等からなるものである。
【背景技術】
【０００２】
従来の液浸材包装容器は、ポリプロピレン、ポリエチレン、または、ポリエチレンテレフタレート等で作製された矩形状の容器から構成され、上面に前記容器の形状とほぼ相似形をした開口部が設けられている。前記液浸材包装容器は、内部に積層された液浸材が乾燥しないように収納され、底部の底部材と、上部の開口部に接着剤が塗布された蓋部材とによって閉塞されている。前記液浸材は、使用する際に、前記開口部の蓋材を剥がし、開口部の内部から取り出される。
【０００３】
図９は従来の液浸材包装容器を説明するための斜視図である。図１０は従来の液浸材包装容器を説明するための平面図である。図１１は従来の液浸材包装容器を説明するための正面図である。図９から図１１において、液浸材包装容器９１は、ポリプロピレン、ポリエチレン、ポリエチレンテレフタレート等、およびこれらの混合物からなり、金型によって成形される成形容器である。容器本体９２は、液浸材８１、８２が収納された後、底部が底部材９３によって閉塞される。前記液浸材８１、８２は、開口部９２１を閉塞する蓋部材９４を開けて取り出される。
【０００４】
前記容器本体９２は、下部にフランジ９２４を有し、上部に前記液浸材８１、８２を取り出す開口部９２１を備えている。前記容器本体９２は、内部に液浸材８１、８２を収納した後、底部材９３によって閉塞される。また、容器本体７２の開口部９２１は、再剥離可能な接着剤９４１が塗布された蓋部材９４によって閉塞される。
【０００５】
前記液浸材包装容器９１の開口部９２１には、開口部９２１の近傍周辺に成形された開口溝部９２２と、前記開口溝部９２２から開口部９２１に繋がる放射状の放射溝部９２３とが成形されている。前記液浸材包装容器９１の開口部９２１の内部下面には、内部放射状突条部９２５が蓋部材９４の端部近傍に達する長さに成形されている。前記開口溝部９２２および放射溝部９２３は、蓋部材９４に液浸材８１、８２の溶剤が付着しても、毛細管現象により、前記溝に沿って容器本体９２内に入る。また、前記内部放射状突条部９２５は、前記液浸材８１、８２の上部と容器本体９２の下面とのスペーサとなり、通常の使用状態において、蓋部材９４に液浸材８１、８２の溶剤が付着し難い。
【０００６】
前記蓋部材９４は、全面に接着剤９４１が塗布されており、複数回の剥離および付着が可能な接着性を有するものである。また、前記蓋部材９４の剥離側には、つまみ９４２となる凸部を有し、前記つまみ９４２の反対側には、粘着固定部９４３が設けられている。前記粘着固定部９４３には、「Ｊ」字状切込み部９４４が両端に設けられている。前記「Ｊ」字状切込み部９４４は、前記蓋部材９４を開いた状態にした場合、この部分において、粘着固定部９４３の部分が剥がれないようになっている。なお、前記「Ｊ」字状切込み部９４４についての詳細は、たとえば、特開２００５−２７１９６６号公報に詳細が記載されている。
【０００７】
前記容器本体９２の上面下部には、下方に向け底部材９３の近傍まで延びるスペーサ９２６が設けられている。前記スペーサ９２６は、前記容器本体９２を二分する位置にあり、液浸材８１、８２が互いの端部を押しつけて、重ならないようにしている。
【特許文献１】特開２００５−２７１９６６号公報
【発明の開示】
【発明が解決しようとする課題】
【０００８】
前記液浸材包装容器は、内部の液浸材を取り出す度に、接着剤の付着した蓋部材を何回も剥離あるいは付着が繰り返される。前記接着剤の付着した蓋部材は、接着力に逆らって剥離する際に、内部に収納された液浸材の溶剤が接着剤にかかると、接着性を弱め、密閉状態を悪くする。前記密閉状態の悪い液浸材包装容器に保管されている液浸材は、溶剤が蒸発し、乾燥状態になり、使用することができなくなる。また、前記蓋部材は、薄い膜であるため、剥離と付着を繰り返しているうちに、皺ができ、その皺の部分によって密閉状態を悪くする。さらに、前記液浸材包装容器の開口部周辺には、液浸材の溶剤または薬剤等の水滴が付着し易く、前記溶剤または薬剤等により、接着剤の接着性を弱めるという問題があった。
【０００９】
また、前記従来例における液浸材包装容器は、開口部近傍に垂れた溶剤が開口部に入る場合と、外方に流れ出て、接着剤の接着性を破壊する場合とに分かれる。そして、前記蓋部材は、前記溶剤により前記接着剤が破壊され、内部に空気を供給し、液浸材包装容器の密閉性という機能を果たさなくなるという問題があった。
【００１０】
以上のような課題を解決するために、本発明は、液浸材包装容器の蓋部材に、ほぼ台形状開口部を矩形容器と平行で、前記ほぼ台形状開口部の頂部方向から底部に向けて開閉できるようにし、前記蓋部材のストッパーにより、前記ほぼ台形状開口部の底部の手前で止まるような構成にすることにより、前記蓋部材の接着剤面に溶剤等が付着しないため、前記接着剤の強度を保持できるようにした安価な液浸材包装容器を提供することを目的とする。
【課題を解決するための手段】
【００１１】
（第１発明）
第１発明の液浸材包装容器は、液浸材を非通気性の状態で収容し、上部の開口部から適宜取り出すことができるほぼ矩形状の容器であり、前記液浸材を収容する容器本体と、前記容器本体内に収容されている前記液浸材を取り出す前記容器本体の上面に設けられたほぼ台形状開口部と、前記容器本体の底部を塞ぐ底部材と、前記容器本体のほぼ台形状開口部を開閉自在に塞ぐために、接着剤が塗布されており、前記ほぼ台形の頂部から底部に向かって開き、前記ほぼ台形状開口部の底部から頂部に向かって閉じるように取り付けられたストッパー付き蓋部材とから少なくとも構成されていることを特徴とする。
【００１２】
（第２発明）
第２発明の液浸材包装容器は、第１発明のストッパー付き蓋部材が容器本体の長手方向に対して直角方向に開閉するように取り付けられていることを特徴とする。
【００１３】
（第３発明）
第３発明の液浸材包装容器は、第１発明のストッパー付き蓋部材が容器本体の長手方向に開閉するように取り付けられていることを特徴とする。
【００１４】
（第４発明）
第４発明の液浸材包装容器は、第１発明から第３発明のほぼ台形状開口部の周辺に両端部が前記蓋部材のストッパー近傍まで延びる溝が設けられていることを特徴とする。
【００１５】
（第５発明）
第５発明の液浸材包装容器は、第１発明から第３発明のほぼ台形状開口部の周辺に前記周辺を囲む溝と、前記溝からほぼ台形状開口部に繋がる放射状の複数個の放射溝とが成形されていることを特徴とする。
【００１６】
（第６発明）
第６発明の液浸材包装容器は、第１発明から第５発明のストッパー付き蓋部材の一部が容器本体から突出している開閉用摘まみ部を備えていることを特徴とする。
【００１７】
（第７発明）
第７発明の液浸材包装容器は、液浸材を非通気性の状態で収容し、上部の開口部から適宜取り出すことができる矩形状の容器であり、前記液浸材を収容する容器本体と、前記容器本体内に収容されている前記液浸材を取り出す前記容器本体の上面に設けられた小判型または長方形からなる開口部と、前記容器本体の底部を塞ぐ底部材と、前記容器本体の小判型または長方形からなる開口部を開閉自在に塞ぐために、接着剤が塗布されており、前記開口部の一方から他方に向かって開き、他方から一方に向かって閉じるように取り付けられたストッパー付き蓋部材と、前記開口部の周辺に沿って設けられ、両端部が前記蓋部材のストッパー近傍まで延びる溝とから少なくとも構成されていることを特徴とする。
【００１８】
第８発明の液浸材包装容器は、第７発明のストッパー付き蓋部材が容器本体の長手方向に対して直角方向に開閉するように取り付けられていることを特徴とする。
【００１９】
（第９発明）
第９発明の液浸材包装容器は、第７発明のストッパー付き蓋部材が容器本体の長手方向に対して開閉するように取り付けられていることを特徴とする。
【発明の効果】
【００２０】
本発明によれば、液浸材包装容器の蓋部材に設けられたほぼ台形状開口部を前記液浸材包装容器の長手方向と平行に設け、前記ほぼ台形状開口部の頂部側から底部側に向けて前記蓋部材を開くため、前記蓋部材の裏面に付着した溶剤または薬剤等の水滴が前記ほぼ台形状開口部の外に付着しない。
【００２１】
本発明によれば、液浸材包装容器の蓋部材は、ほぼ台形状開口部を開けるにしたがい広がるようになっているため、溶剤または薬剤等の水滴が前記蓋部材を伝わって下方に落下する場合、必ず、前記容器本体の内部に入るので、接着剤が塗布されている蓋部材の裏面に前記溶剤または薬剤等の水滴が付着しない。したがって、前記蓋部材に塗布されている接着剤は、何回か使用した後に接着性を弱めないため、再度蓋をする際に皺が寄らない。
【００２２】
本発明によれば、液浸材包装容器の蓋部材は、ストッパーによりほぼ台形状開口部の底部まで開かないようにしているため、前記溶剤または薬剤等の水滴が必ず液浸材包装容器の内部に落下するようになっている。また、液浸材包装容器の蓋部材に設けた摘まみ部は、特別に突出した形状のものとせずに、僅かに食み出す程度のものでよい。
【００２３】
本発明によれば、ほぼ台形状開口部の短い方向に蓋部材を開閉する場合、長手方向に開閉するものと比較して、前記蓋部材に付着した溶剤または薬剤等の水滴落下量が少なくなる。
【００２４】
本発明によれば、前記蓋部材に付着した溶剤または薬剤等の水滴がほぼ台形状開口部の近傍周辺に成形された溝と、前記溝から開口部に繋がる放射状の放射溝を介して本体容器内に入り、前記蓋部材の表面を汚すことがない。また、前記放射溝を設けずに、前記開口部の近傍周辺に設けた溝だけであっても、前記溶剤または薬液等の水滴は、毛細管現象により、前記溝を伝わり、開口部に落下する。
【００２５】
本発明によれば、前記開口部の形状は、小判型あるいは長方形であっても、その周辺に設けられた溝により、前記溶剤または薬剤等の水滴を外部に飛散させるようなことがない。
【発明を実施するための最良の形態】
【００２６】
（第１発明）
第１発明の液浸材包装容器は、容器本体と、底部材と、蓋部材とから構成され、積層された液浸材を非通気性の状態で前記容器本体に収容し、前記容器本体の上部に設けられたほぼ台形状開口部から適宜取り出すことができる矩形状のものである。前記液浸材包装容器の容器本体は、前記液浸材包装容器の長手方向に平行に、収容された前記液浸材を取り出すことができるほぼ台形状開口部が設けられている。
【００２７】
前記容器本体は、その底部を底部材によって塞がれている。前記ストッパー付き蓋部材は、前記容器本体のほぼ台形状開口部を開閉自在に塞ぐために、接着剤が塗布されており、前記長手方向に対して直角方向で、前記ほぼ台形の頂部から底部に向かって開き、前記ほぼ台形状開口部の底部から頂部に向かって閉じるようになっている。
【００２８】
前記蓋部材に付着した溶剤または薬剤等の水滴は、前記蓋部材から落下しても、開口部がほぼ台形になっており、かつ、頂部から底部に向かって徐々に広くなるため、前記ほぼ台形状開口部の縁に落下することなく、度重なる開閉によっても、前記蓋部材に付けられた接着剤の効果を保持することができる。
【００２９】
（第２発明）
第２発明における第１発明のストッパー付き蓋部材は、容器本体の長手方向に対して直角方向に開閉するように取り付けられており、また、頂部から底部に向かって徐々に広くなるため、前記蓋部材に付着した溶剤または薬剤等の水滴が滴る距離が短くなり、前記蓋部材の方に流出しない。
【００３０】
（第３発明）
第３発明における第１発明のストッパー付き蓋部材は、容器本体の長手方向に開閉するように取り付けられており、頂部から底部に向かって徐々に広くなるため、前記蓋部材に付着した溶剤または薬剤等の水滴等が滴る距離が長くなるが、前記蓋部材に付着した溶剤または薬剤等の水滴が前記容器本体の内部に落下するようになっている。
【００３１】
（第４発明）
第４発明における第１発明から第３発明のほぼ台形状開口部の周辺に沿って、溝が形成されている。前記溝は、その両端部が前記蓋部材のストッパー近傍まで延びるように設けられている。前記溝は、ほぼ台形状開口部の周辺に沿って設けられているため、前記蓋部材に付着した溶剤または薬剤等の水滴が多少食み出しても、前記溝に入り、前記蓋部材の接着剤を劣化させない。
【００３２】
（第５発明）
第５発明の溝は、前記ほぼ台形状開口部の近傍周辺に成形されている。前記溝から開口部に繋がる放射状の複数の放射溝部は、落下した溶剤または薬剤等の水滴が一旦前記溝に入り、複数の放射溝部を介して、容器本体に落下されるような構造になっている。
【００３３】
（第６発明）
第６発明の蓋部材は、その剥離用摘まみ部を持ち上げて開く場合、前記蓋部材のストッパーにより、前記ほぼ台形状開口部の端部まで開かないようになっている。すなわち、前記蓋部材は、前記ほぼ台形状開口部の底部より内側にある。そのため、前記蓋部材に付着した溶剤または薬剤等の水滴は、前記ほぼ台形状開口部の底部に付着して、外部に広がることがなく、液浸材包装容器内に落下する。したがって、前記蓋部材に付いている接着剤は、劣化することなく、繰り返しの開閉によっても、接着力を保持することができる。
【００３４】
（第７発明）
第７発明は、容器本体に設けられた開口部が小判型または長方形からなっている点、および前記開口部の周辺に沿って設けられ、両端部が前記蓋部材のストッパー近傍まで延びる溝である点で、第１発明と異なっている。第７発明は、容器本体に設けられた開口部の形状が台形でなく、小判型または長方形であっても、前記開口部の周辺に溝を設けるだけで、蓋部材に付着した溶剤または薬剤等の水滴を飛散させないようにすることができる。
【００３５】
（第８発明）
第８発明の液浸材包装容器は、ストッパー付き蓋部材を容器本体の長手方向に対して直角方向に開閉するように取り付けられている。前記蓋部材に付着した溶剤または薬剤等の水滴は、短い距離を落下するため、外部に飛散することが少ない。
【００３６】
（第９発明）
第９発明の液浸材包装容器は、ストッパー付き蓋部材を容器本体の長手方向に対して開閉するように取り付けられている。前記蓋部材に付着した溶剤または薬剤等の水滴は、第８発明と比較して、長い距離を落下するが、周辺に設けられた溝により、外部に飛散することが少ない。
【実施例１】
【００３７】
図１は本発明の第１実施例で、液浸材包装容器を説明するための斜視図である。図２は本発明の第１実施例で、液浸材包装容器を説明するための平面図である。図３は本発明の一実施例で、液浸材包装容器を説明するための正面図である。図１から図３において、液浸材包装容器１１は、ポリプロピレン、ポリエチレン、ポリエチレンテレフタレート等、またはこれらの混合物からなり、金型によって成形される成形容器であり、液浸材１５、１５′を収納する容器本体１２と、液浸材１５、１５′を収納した後、底部を閉める底部材１３と、前記液浸材１５、１５′を取り出すほぼ台形状開口部１２１を閉塞する蓋部材１４とから少なくとも構成されている。また、容器本体１２は、前記底部材１３を閉塞し易いようにフランジ部１２４が成形されている。
【００３８】
前記ほぼ台形状開口部１２１は、長方形からなる本体容器１２の形状とほぼ平行になるように開口されている。前記蓋部材１４は、前記ほぼ台形状開口部１２１の頂部から底部に向けて開かれ、底部から頂部に向かって閉じられる。また、前記蓋部材１４は、ストッパー１４４により、所定位置まで開けられるように制限されている。前記容器本体１２は、内部に液浸材１５、１５′を収納した後、底部材１３によって閉塞される。また、容器本体１２のほぼ台形状開口部１２１は、複数回の開閉を可能にする接着剤１４１が塗布された蓋部材１４によって閉塞される。
【００３９】
前記液浸材包装容器１１のほぼ台形状開口部１２１は、開口部の内部下面に内部放射状突条部１２２が蓋部材１４の端部近傍に達する長さに成形されている。前記内部放射状突条部１２２は、前記液浸材１５、１５′の上部と容器本体１２の下面とのスペーサとなり、通常の使用状態において、蓋部材１４に液浸材１５、１５′の溶剤または薬剤等の水滴１４３が付着し難いようにしている。
【００４０】
前記蓋部材１４は、全面に接着剤１４１が塗布されており、複数回の開閉および付着が可能な接着性を有するものである。また、前記蓋部材１４の剥離側には、摘まみ部１４２が前記容器本体１２の側部から突出している。ストッパー１４４は、「Ｊ」字状切込み部が両端に設けられている。前記ストッパー１４４の「Ｊ」字状切込み部は、前記蓋部材１４を開いた状態にした場合、この部分において、さらに、剥がれないようになっている。なお、前記「Ｊ」字状切込み部についての詳細は、たとえば、特開２００５−２７１９６６号公報に詳細が記載されている。
【００４１】
前記容器本体１２の上面下部には、下方に向け底部材１３の近傍まで延びるスペーサ１２３が設けられている。前記スペーサ１２３は、前記容器本体１２を二分する位置にあり、液浸材１５、１５′が互いの端部を押しつけて、重ならないようにしている。
【００４２】
図４は本発明の第１実施例で、液浸材包装容器を説明するための図２におけるＡ−Ａ線拡大断面図である。図５は本発明の一実施例で、液浸材包装容器の蓋部材をいっぱいに開けた状態を説明するための図である。図４において、蓋部材１４は、ほぼ台形状開口部１２１を閉塞している図である。図４において、前記蓋部材１４′は、前記ほぼ台形状開口部１２１を開けて液浸材１５、１５′を取り出す前の状態である。図４において、前記蓋部材１４″は、いっぱいに開けられた状態で、前記ストッパー１４４により、これ以上開けられない。
【００４３】
前記蓋部材１４″は、いっぱいに開けられた場合、前記ストッパー１４４の位置によって、前記ほぼ台形状開口部１２１の底部より手前になるような位置に設けられている。図５において、前記蓋部材１４は、前記ストッパー１４４により、開けた状態（折り曲げた状態）がほぼ台形状開口部１２１の内側になっている。前記蓋部材１４の内側に付着した溶剤または薬剤等の水滴１４３は、落下した際に、必ずほぼ台形状開口部１２１の中に入り、容器本体１２の上面に付着しないため、接着剤１４１が劣化することなく、何回も開閉を行うことができる。
【実施例２】
【００４４】
図６は本発明の第２実施例で、液浸材包装容器を説明するための平面図である。図６において、前記液浸材包装容器１１のほぼ台形状開口部１２１には、前記ほぼ台形状開口部１２１の近傍周辺に成形された開口溝部６１と、前記開口溝部６１からほぼ台形状開口部１２１に繋がる放射状の複数の放射溝部６２とを成形することができる。前記開口溝部６１および放射溝部６２は、蓋部材１４から液浸材１５、１５′の溶剤が落下しても、毛細管現象により、前記溝に沿って容器本体１２内に入る。
【実施例３】
【００４５】
図７は本発明の第３実施例で、液浸材包装容器を説明するための平面図である。図７において、第２実施例と異なるところは、ほぼ台形状開口部１２１に沿って成形された開口溝部７２がほぼストッパー１４４の近傍までである点、および前記開口溝部７２に繋がる放射溝部６２が無い点で異なっている。前記開口溝部７２の近傍に落下した蓋部材１４に付着した溶剤または薬剤等の水滴は、毛細管現象により、前記ほぼ台形状開口部１２１に沿って成形された開口溝部７２に流れ込み、ストッパー１４４近傍から容器本体１２内に落下する。
【実施例４】
【００４６】
図８は本発明の第４実施例で、液浸材包装容器を説明するための斜視図である。図８において、液浸材包装容器８１は、容器本体８２に液浸材が収納された後、底部が底部材８３によって閉塞される。前記液浸材は、開口部８２１を閉塞する蓋部材８４を開けて取り出される。
【００４７】
前記容器本体８２は、下部にフランジ８２４を有し、上部に前記液浸材を取り出す開口部８２１を備えている。前記容器本体８２は、内部に液浸材を収納した後、底部材８３によって閉塞される。また、容器本体８２の開口部８２１は、再剥離可能な接着剤８２６が塗布された蓋部材８４によって閉塞される。
【００４８】
前記液浸材包装容器８１の開口部８２１には、開口部８２１の近傍周辺に沿って開口溝部８２２が成形されている。前記開口溝部８２２は、ストッパー８４４まで延在されている。蓋部材８４に付着した溶剤または薬剤等は、前記開口溝部８２２から食み出しても、毛細管現象により、前記開口溝部８２２に沿って容器本体８２内に入る。
【００４９】
以上、本実施例を詳述したが、本発明は、前記本実施例に限定されるものではない。そして、本発明は、特許請求の範囲に記載された本発明を逸脱することがなければ、種々の設計変更を行うことが可能である。本発明の液浸材包装容器の形状、ほぼ台形状開口部の形状は、本発明の趣旨を逸脱しない範囲で変更することができる。
【００５０】
また、本発明の液浸材は、実施例以外に、公知または周知のものを含む。さらに、本発明の接着剤および容器本体、底部材、蓋部材の材質は、公知または周知のものを含む。特に、蓋部材は、プラスチックフィルムだけでなく、プラスチックフィルムの代わりに、アルミ箔、蒸着フィルム等を用いることができる。本発明におけるほぼ台形開口部は、一辺が長く他辺が短くなっており、本発明の趣旨に合った形状のものであれば、変形した形状のものも含む。
【図面の簡単な説明】
【００５１】
【図１】本発明の第１実施例で、液浸材包装容器を説明するための斜視図である。（実施例１）
【図２】本発明の第１実施例で、液浸材包装容器を説明するための平面図である。
【図３】本発明の第１実施例で、液浸材包装容器を説明するための正面図である。
【図４】本発明の第１実施例で、液浸材包装容器を説明するための図２におけるＡ−Ａ線拡大断面図である。
【図５】本発明の第１実施例で、液浸材包装容器の蓋部材をいっぱいに開けた状態を説明するための図である。
【図６】本発明の第２実施例で、液浸材包装容器を説明するための平面図である。（実施例２）
【図７】本発明の第３実施例で、液浸材包装容器を説明するための平面図である。（実施例３）
【図８】本発明の第４実施例で、液浸材包装容器を説明するための斜視図である。（実施例４）
【図９】従来の液浸材包装容器を説明するための斜視図である。
【図１０】従来の液浸材包装容器を説明するための平面図である。
【図１１】従来の液浸材包装容器を説明するための正面図である。
【符号の説明】
【００５２】
１１・・・液浸材包装容器
１２・・・容器本体
１２１・・・ほぼ台形状開口部
１２２・・・内部放射状突条部
１２３・・・スペーサ
１３・・・底部材
１４・・・蓋部材
１４１・・・接着剤
１４２・・・摘みみ部
１４３・・・溶剤または薬剤等の水滴
１４４・・・「Ｊ」字状切込み部（ストッパー）
１５・・・液浸材
【図１】
2008074489.tif 000003
【図２】
2008074489.tif 000004
【図３】
2008074489.tif 000005
【図４】
2008074489.tif 000006
【図５】
2008074489.tif 000007
【図６】
2008074489.tif 000008
【図７】
2008074489.tif 000009
【図８】
2008074489.tif 000010
【図９】
2008074489.tif 000011
【図１０】
2008074489.tif 000012
【図１１】
2008074489.tif 000013